(57)【要約】【課題】キーボードユニットとトップカバーとの間の隙間が不均一にならず、簡易な構造で、組立て時に調整が不要なキー入力装置を提供する。【解決手段】トップカバー１の内面に形成された突起部２を、キーボードユニット３が構成される印刷配線基板４の外周縁部に、所定間隔をあけて設けた突起部５ａ、５ｂ間の間隙５ｃに嵌合させることによって、トップカバー１とキーボードユニット３を位置決め固定する。次に、ボトムカバー６に形成された段付きリブ７とトップカバー１の突起部２とを嵌合させることによって、トップカバー１、キーボードユニット３及びボトムカバー６とを位置決め固定する。【選択図】      図１
2004272775.tif 000002
【特許請求の範囲】
【請求項１】
印刷配線基板上に複数の電子部品とキー部品とを搭載したキーボードユニットと、トップカバーと、ボトムカバーとから構成されたキー入力装置であって、前記キーボードユニットを構成する前記印刷配線基板上の外周縁に形成された間隙を有する複数の突起部と、
前記印刷配線基板の前記突起部の間隙に対向する前記トップカバーの内面に形成された複数の突起部と、
前記ボトムカバーの内面に形成された溝部を有する複数のリブとを有し、
前記トップカバーの突起部を前記印刷配線基板の前記間隙に嵌合させた後で、
前記トップカバーの突起部を前記ボトムカバーのリブの溝部と嵌合させて位置決め固定する
ことを特徴とするキー入力装置。
【請求項２】
前記ボトムカバーのリブは段付きリブであることを特徴とする請求項１記載のキー入力装置。
【発明の詳細な説明】
【０００１】
【発明の属する技術分野】
本発明は、パーソナルコンピュータ等の電子機器類のキー入力装置に関する。
【０００２】
【従来の技術】
従来のキー入力装置は、ボトムカバーの底面よりダボを立設し、このダボにキーボードユニットを載置して位置決めした後で、キーボードユニットの上面よりダボと螺子締めして、ボトムカバーにキーボードユニットを固定していた。その後で、トップカバーの内面より下向きに立設されたダボと、ボトムカバーの内面のダボとをボトムカバー底面の裏面より螺子等でボトムカバーとトップカバーとを締め付け固定していた（例えば、特許文献１参照。）。
【０００３】
【特許文献１】
実開平５―８６３３号公報（第３頁、第３図）
【０００４】
【発明が解決しようとする課題】
従来、キー入力装置においては、キーボードユニットはボトムカバーに直接螺子等で締め付け固定されていた。または、キーボードユニットがボトムカバーに位置決めされた後で、螺子等で締め付け固定されていた。従って、キーボードユニットとボトムカバーとを螺子締め固定した後にトップカバーを取付ける際には、ボトムカバーとトップカバーとの取付け位置、トップカバーとキーボードユニットの出来上がり寸法等によって、キーボードユニットとトップカバーとの隙間が均一にならなかった。または、キー配列とトップカバーとの間の配置がアンバランスであったりして、トップカバーを取付けるときに隙間の調整が必要であったり、その隙間が甚だしい場合は再度キーボードユニットとボトムカバーとを組立て直す必要があった。
【０００５】
従って、本発明は簡易な構造で、組立て時に調整が不要なキー入力装置を提供することを目的とする。
【０００６】
【課題を解決するための手段】
上記目的を達成するために、本発明は、印刷配線基板上に複数の電子部品とキー部品とを搭載したキーボードユニットと、トップカバーと、ボトムカバーとから構成されたキー入力装置であって、前記キーボードユニットを構成する印刷配線基板上の外周縁に形成された間隙を有する複数の突起部と、前記印刷配線基板の前記突起部の間隙に対向する前記トップカバーの内面に形成された複数の突起部と、前記ボトムカバーの内面に形成された溝部を有する複数のリブとを有し、前記トップカバーの突起部を前記印刷配線基板の間隙に嵌合させた後で、前記トップカバーの突起部を前記ボトムカバーのリブの溝部と嵌合させて、位置決め固定することを特徴とする。
【０００７】
上記によれば、キーボードユニット及びトップカバーとの取付け位置合わせは、キーボードユニットの間隙を有する突起部と、この間隙に嵌合するトップカバーの突起部とで先に行い、以降ボトムカバーとトップカバーとの間で固定を行うことによって、キーボードユニットとトップカバーとは均一の隙間と適正な配置が確保できるとともに、取付け時の調整が不要になる。
【０００８】
【発明の実施の形態】
以下に、本発明による実施の形態を図１を参照して説明し、図２は補助的に参照する。図１は、本発明のキー入力装置の斜視図である。図２は本発明の実施形態によるトップカバーの突起部、キーボードユニットの突起部、ボトムカバーの段付きリブの概略構成図を示す。
【０００９】
図１のトップカバー１は、キーボードユニット３上面に搭載される表示器、キースイッチ等をこのトップカバー１の上面開口部１Ａより露出させ、キーボードユニット３の外周を覆うように、略ロ状に形成されている。また、トップカバー１の内面には、複数箇所に舌形状に形成された突起部２が形成されている。この突起部２は、トップカバー１の内面から垂直に、キーボードユニット３を構成する印刷配線基板４に形成された突起部５ａ、５ｂの間隙５ｃと対向する位置に配置されている。また、トップカバー１の内面複数箇所には、ボトムカバー６と螺子締めされるための図示しないダボが形成されている。
【００１０】
キーボードユニット３は、印刷配線基板４の表面もしくは裏面に液晶ディスプレイ、ＬＥＤ等の表示器、キートップ上にひらがな、カタカナ、英字、数字、または漢字等の文字または記号等を刻印、印刷、もしくは別の表示方法により表示されたキースイッチ、スライドスイッチ、切換えスイッチ等、及び他の電子機器類との接続用コネクタ、ＬＳＩ―ＩＣ、ＩＣ、抵抗、コンデンサ等のチップ部品等の電子部品が、実装されている。この印刷配線基板４の周縁部には、長方形状の突起部５ａ、５ｂが板状の櫛歯のように配置されていて、トップカバー１の突起部２が嵌合できるだけの間隙５ｃが複数個所設けられている。
【００１１】
キーボードユニット３の下方には、ボトムカバー６が配置されている。ボトムカバー６の内面には、複数個の段付きリブ７が立設されている。この段付きリブ７は、キーボードユニット３を構成する印刷配線基板４の周縁部５ａ、５ｂを段付き部で支える平坦部７ａ、７ｂと所定間隙７ｃとで構成されている。また、ボトムカバー６の複数箇所には、トップカバー１のダボと対向する位置にダボ８が形成されていて、ボトムカバー６の裏面より螺子締めされることにより、キーボードユニット３およびトップカバー１が固定されるよう構成されている。
【００１２】
上記実施の形態によれば、キーボードユニット３を構成する印刷配線基板４の突起部５ａ、５ｂとに対応してトップカバー１の内面に突起部２を設ける。また、ボトムカバー６の内面に、段付きリブ７を印刷配線基板４に対応させて立設している。また、トップカバー１とボトムカバー６のそれぞれに対応する複数箇所には、それぞれに対応するダボ８を設け、螺子締めするように構成する。そして、組立てる時には、トップカバー１とキーボードユニット３とを先に取付けるため、トップカバー１とキーボードユニット３との隙間の均一化、取付けの調和、調整不要による簡易化が図れる。
【００１３】
次に、本発明の実施の形態におけるトップカバー１と、キーボードユニット３及びボトムカバー５とを組立てる際の手順について説明する。先ず、トップカバー１とキーボードユニット３を取付ける際は、トップカバー１の突起部２を上面にして、上からキーボードユニット３を構成する印刷配線基板４の突起部５ａ、５ｂの間隙５ｃとトップカバー１の突起部２とを嵌合させて位置決めし、固定させる。
【００１４】
次に、ボトムカバー６の傾斜部を有する段付きリブ７に、キーボ―ドユニット３を位置決め固定したトップカバー１を重ねて取付ける。この段付きリブ７の段付き部７ａ、７ｂの上には、印刷配線基板４の突起部５ａ、５ｂが傾斜部を利用してセットされる。そして、ボトムカバー６の段付きリブ７の溝部７ｃには、トップカバー１の突起部２がキーボ―ドユニット３と結合された状態で嵌合される。この状態で、ボトムカバー６の裏面より、ボトムカバー６のダボ８とトップカバー１のダボとを螺子締めして組立てを完了する。
【００１５】
上記実施の形態によれば、トップカバー１の内面から垂下した突起部２を、キーボードユニット３の突起部５ａ、５ｂで形成された間隙５ｃに嵌合させることによって位置決め固定される。更に、ボトムカバー６内面に形成された段付きリブ７に、キーボードユニット３が傾斜面を利用してセットされ、トップカバー１の突起部２が段付きリブ７の溝部７ｃに嵌合されるため、トップカバー１、キーボードユニット３、ボトムカバー６が位置決め固定される。
【００１６】
上記に、実施の形態として、トップカバー１の突起部２を舌形状で説明したが、本発明はこれに限定されず、円柱状に形成することや、トップカバー１の突起部２の先端部に係合部を形成すると共に、トップカバー１の突起部２とボトムカバー６の段付きリブ７の溝部７ｃの底面に開口部を形成して、係止するようにしても良い。キー入力装置が小型の場合は、更に構成が簡単になる。
【００１７】
【発明の効果】
本発明によれば、簡単な構成で、調整が不要なキー入力装置を提供出来る。
【図面の簡単な説明】
【図１】本発明の実施形態によるキー入力装置の斜視図。
【図２】本発明の実施形態によるトップカバーの突起部、キーボードユニットの突起部、ボトムカバーの段付きリブの概略構成図。
【符号の説明】
１  トップカバー
２  突起部
３  キーボードユニット
４  印刷配線基板
５  突起部
６  ボトムカバー
７  段付きリブ
８  ダボ
【図１】
2004272775.tif 000003
【図２】
2004272775.tif 000004